(57)【要約】【課題】つめ石およびがんぎ車の摩耗および噛み合い外れを抑制することができる時計部品を提供する。【解決手段】実施形態の時計部品１００は、軸線の回りに回動可能に支持されたアンクル体８２と、アンクル体８２に取り付けられ、アンクル体８２の回動に伴ってがんぎ車に噛み合うつめ石８３と、を備え、アンクル体８２は、軸線と直交する径方向からつめ石８３を弾性的に挟む凹部１２０を有し、アンクル体８２に設けられ、つめ石８３を軸線と平行な軸方向で支持可能な支持部１１０を備える。【選択図】図５
2020148683.tif 000002
【特許請求の範囲】
【請求項１】
軸線の回りに回動可能に支持されたアンクル体と、
前記アンクル体に取り付けられ、前記アンクル体の回動に伴ってがんぎ車に噛み合うつめ石と、を備え、
前記アンクル体は、前記軸線と直交する径方向から前記つめ石を弾性的に挟む凹部を有し、
前記アンクル体および前記つめ石の少なくとも一方に設けられ、前記つめ石を前記軸線と平行な軸方向で支持可能な支持部を備えることを特徴とする時計部品。
【請求項２】
前記アンクル体は、
前記軸方向において前記アンクル体の一方に位置する第１面と、
前記軸方向において前記アンクル体の他方に位置する第２面と、を有し、
前記支持部は、前記アンクル体の前記第１面および前記第２面の少なくとも一方側に設けられ、前記アンクル体から前記凹部の内方に向かって突出する鍔部を備えることを特徴とする請求項１に記載の時計部品。
【請求項３】
前記凹部は、
前記径方向の一方から前記つめ石を支持する第１内側面と、
前記径方向の他方から前記つめ石を支持する第２内側面と、を有し、
前記鍔部は、前記凹部の前記第１内側面の側と前記第２内側面の側とに分離していることを特徴とする請求項２に記載の時計部品。
【請求項４】
前記凹部は、前記第１内側面および前記第２内側面に隣接する第３内側面を更に有し、
前記鍔部は、
前記凹部の前記第１内側面および前記第３内側面に跨って連続する第１鍔部と、
前記凹部の前記第２内側面および前記第３内側面に跨って連続し、前記第３内側面において前記第１鍔部と離反する第２鍔部と、を備えることを特徴とする請求項３に記載の時計部品。
【請求項５】
前記凹部は、前記第１内側面および前記第２内側面に隣接する第３内側面を更に有し、
前記支持部は、前記軸方向から見て前記鍔部を有しない非つば部を有し、
前記鍔部は、
前記凹部の前記第１内側面に前記非つば部を介して設けられた複数の第１凸部と、
前記凹部の前記第２内側面に前記非つば部を介して設けられた複数の第２凸部と、
前記凹部の前記第３内側面において前記第１凸部および前記第２凸部のそれぞれと前記非つば部を介して設けられた第３凸部と、を備えることを特徴とする請求項３に記載の時計部品。
【請求項６】
前記鍔部は、前記アンクル体の前記第１面の側にのみ設けられ、
前記凹部は、前記アンクル体の前記第２面において開口していることを特徴とする請求項２から５のいずれか一項に記載の時計部品。
【請求項７】
前記つめ石は、前記第１面に対して斜めに交差する傾斜面を有し、
前記鍔部は、前記つめ石の前記傾斜面を支持可能な傾斜支持面を有することを特徴とする請求項６に記載の時計部品。
【請求項８】
前記鍔部は、前記アンクル体の前記第１面および前記第２面の両側に設けられていることを特徴とする請求項２から５のいずれか一項に記載の時計部品。
【請求項９】
前記つめ石は、
前記軸方向において前記つめ石の一方に位置する第１石面と、
前記軸方向において前記つめ石の他方に位置する第２石面と、を有し、
前記支持部は、前記つめ石の前記第１石面および前記第２石面の少なくとも一方側に設けられ、前記つめ石から前記凹部の外方に向かって突出する石鍔部を備えることを特徴とする請求項１から８のいずれか一項に記載の時計部品。
【請求項１０】
前記つめ石は、前記アンクル体の回動に伴ってがんぎ車に噛み合う噛み合い部を備え、
前記支持部は、前記噛み合い部とは異なる位置に配置されていることを特徴とする請求項１から９のいずれか一項に記載の時計部品。
【請求項１１】
請求項１から１０のいずれか一項に記載の時計部品を備えることを特徴とするムーブメント。
【請求項１２】
請求項１１に記載のムーブメントを備えることを特徴とする時計。
【発明の詳細な説明】
【技術分野】
【０００１】
本発明は、時計部品、ムーブメントおよび時計に関する。
【背景技術】
【０００２】
従来、ムーブメントを構成する時計部品として、軸線の回りに回動可能に支持されたアンクル体と、アンクル体に取り付けられたつめ石と、を備えたものがある（例えば、特許文献１参照）。アンクル体が軸線の回りに回動すると、つめ石は、がんぎ車の歯部に噛み合ったり歯部から離脱したりする。がんぎ車の歯部につめ石が噛み合っているとき、がんぎ車の回転は一時的に停止する。一方、つめ石ががんぎ車の歯部から離脱しているとき、がんぎ車が回転する。これらの動作が連続的に繰り返されることにより、時計が時を刻むようになっている。
例えば、特許文献１には、アンクル体が、軸線と直交する径方向に延在するアンクルビームを備えた構成が開示されている。アンクルビームの先端部には、がんぎ車の側に開口するスリットが形成されている。スリットは、軸線と平行な軸方向にも開口している。例えば、つめ石は、接着剤等によりスリットに固定されている。
【先行技術文献】
【特許文献】
【０００３】
【特許文献１】特開２０１５−２５７２０号公報
【発明の概要】
【発明が解決しようとする課題】
【０００４】
しかしながら、スリットが軸線と平行な軸方向に開口しているため、つめ石が軸方向にずれる可能性がある。つめ石が軸方向にずれると、つめ石とがんぎ車との噛み合い部分が小さくなる。すなわち、つめ石とがんぎ車とが片あたりしやすくなる。すると、つめ石およびがんぎ車の摩耗が促進したり、つめ石とがんぎ車との噛み合いが外れやすくなったりする可能性が高い。
【０００５】
本発明は、上記の課題を解決するためになされたものであって、つめ石およびがんぎ車の摩耗および噛み合い外れを抑制することができる時計部品、ムーブメントおよび時計を提供することを目的とする。
【課題を解決するための手段】
【０００６】
上記課題の解決手段として、本発明の態様は以下の構成を有する。
（１）本発明の態様に係る時計部品は、軸線の回りに回動可能に支持されたアンクル体と、前記アンクル体に取り付けられ、前記アンクル体の回動に伴ってがんぎ車に噛み合うつめ石と、を備え、前記アンクル体は、前記軸線と直交する径方向から前記つめ石を弾性的に挟む凹部を有し、前記アンクル体および前記つめ石の少なくとも一方に設けられ、前記つめ石を前記軸線と平行な軸方向で支持可能な支持部を備えることを特徴とする。
【０００７】
この構成によれば、支持部によってつめ石を軸方向で支持することができるため、つめ石が軸方向にずれることを抑制することができる。そのため、つめ石とがんぎ車との噛み合い部分を一定に維持することができる。すなわち、つめ石とがんぎ車とが片あたりすることを抑制することができる。したがって、つめ石およびがんぎ車の摩耗および噛み合い外れを抑制することができる。
【０００８】
（２）上記（１）に記載の時計部品では、前記アンクル体は、前記軸方向において前記アンクル体の一方に位置する第１面と、前記軸方向において前記アンクル体の他方に位置する第２面と、を有し、前記支持部は、前記アンクル体の前記第１面および前記第２面の少なくとも一方側に設けられ、前記アンクル体から前記凹部の内方に向かって突出する鍔部を備えていてもよい。
【０００９】
この構成によれば、アンクル体に設けられた鍔部によって、つめ石を軸方向で支持することができるため、つめ石が軸方向にずれることを抑制することができる。加えて、既存のつめ石を流用することができるため、アンクル体およびつめ石の両方に鍔部を設ける場合と比較して、工数を削減し、低コスト化を図ることができる。
【００１０】
（３）上記（２）に記載の時計部品では、前記凹部は、前記径方向の一方から前記つめ石を支持する第１内側面と、前記径方向の他方から前記つめ石を支持する第２内側面と、を有し、前記鍔部は、前記凹部の前記第１内側面の側と前記第２内側面の側とに分離していてもよい。
【００１１】
この構成によれば、鍔部が凹部の第１内側面と第２内側面とに跨って連なる場合と比較して、凹部の弾性的な挟持力が鍔部によって阻害されることを抑制することができる。したがって、凹部によってつめ石を径方向でより強固に支持することができる。
【００１２】
（４）上記（３）に記載の時計部品では、前記凹部は、前記第１内側面および前記第２内側面に隣接する第３内側面を更に有し、前記鍔部は、前記凹部の前記第１内側面および前記第３内側面に跨って連続する第１鍔部と、前記凹部の前記第２内側面および前記第３内側面に跨って連続し、前記第３内側面において前記第１鍔部と離反する第２鍔部と、を備えていてもよい。
【００１３】
この構成によれば、第１鍔部が第１内側面のみに設けられ、かつ、第２鍔部が第２内側面のみに設けられた場合と比較して、つめ石をより広い面積で支持することができる。したがって、第１鍔部および第２鍔部によって、つめ石を軸方向でより強固に支持することができるため、つめ石が軸方向にずれることをより効果的に抑制することができる。
【００１４】
（５）上記（３）に記載の時計部品では、前記凹部は、前記第１内側面および前記第２内側面に隣接する第３内側面を更に有し、前記支持部は、前記軸方向から見て前記鍔部を有しない非つば部を有し、前記鍔部は、前記凹部の前記第１内側面に前記非つば部を介して設けられた複数の第１凸部と、前記凹部の前記第２内側面に前記非つば部を介して設けられた複数の第２凸部と、前記凹部の前記第３内側面において前記第１凸部および前記第２凸部のそれぞれと前記非つば部を介して設けられた第３凸部と、を備えていてもよい。
【００１５】
この構成によれば、第１凸部が第１内側面に１つのみ設けられ、かつ、第２凸部が第２内側面に１つのみ設けられた場合と比較して、つめ石をより多くの部分で支持することができる。したがって、複数の凸部（複数の第１凸部、複数の第２凸部、および第３凸部）によって、つめ石を軸方向でより強固に支持することができるため、つめ石が軸方向にずれることをより効果的に抑制することができる。加えて、非つば部に接着剤等を充填することができるため、凹部につめ石をより強固に固定することができる。
【００１６】
（６）上記（２）から（５）のいずれか一項に記載の時計部品では、前記鍔部は、前記アンクル体の前記第１面の側にのみ設けられ、前記凹部は、前記アンクル体の前記第２面において開口していてもよい。
【００１７】
この構成によれば、アンクル体の第１面側に設けられた鍔部によって、つめ石を軸方向で支持することができる。そのため、鍔部がアンクル体の第１面側および第２面側の両側に設けられた場合と比較して、構造の簡素化を図ることができる。加えて、アンクル体の第２面側からつめ石を凹部に挿入することができる。
【００１８】
（７）上記（６）に記載の時計部品では、前記つめ石は、前記第１面に対して斜めに交差する傾斜面を有し、前記鍔部は、前記つめ石の前記傾斜面を支持可能な傾斜支持面を有していてもよい。
【００１９】
この構成によれば、つめ石が第１面と平行な平面を有し、かつ、鍔部がつめ石の前記平面を支持可能な平面支持面を有する場合と比較して、つめ石をより広い面積で支持することができる。したがって、傾斜支持面によって、つめ石を軸方向でより強固に支持することができるため、つめ石が軸方向にずれることをより効果的に抑制することができる。加えて、傾斜支持面によって、つめ石を径方向で支持することができるため、凹部と共につめ石を径方向でより強固に支持することができる。
【００２０】
（８）上記（２）から（５）のいずれか一項に記載の時計部品では、前記鍔部は、前記アンクル体の前記第１面および前記第２面の両側に設けられていてもよい。
【００２１】
この構成によれば、アンクル体の第１面側および第２面側の両側に設けられた鍔部によって、つめ石を軸方向で支持することができる。したがって、鍔部がアンクル体の第１面側および第２面側のいずれか一方に設けられた場合と比較して、つめ石を軸方向でより強固に支持することができるため、つめ石が軸方向にずれることをより効果的に抑制することができる。
【００２２】
（９）上記（１）から（８）のいずれか一項に記載の時計部品では、前記つめ石は、前記軸方向において前記つめ石の一方に位置する第１石面と、前記軸方向において前記つめ石の他方に位置する第２石面と、を有し、前記支持部は、前記つめ石の前記第１石面および前記第２石面の少なくとも一方側に設けられ、前記つめ石から前記凹部の外方に向かって突出する石鍔部を備えていてもよい。
【００２３】
この構成によれば、つめ石に設けられた石鍔部によって、つめ石を軸方向で支持することができるため、つめ石が軸方向にずれることを抑制することができる。加えて、既存のアンクル体を流用することができるため、アンクル体およびつめ石の両方に鍔部を設ける場合と比較して、工数を削減し、低コスト化を図ることができる。一方、アンクル体およびつめ石の両方に鍔部を設けた場合には、各鍔部によって、つめ石を軸方向でより強固に支持することができるため、つめ石が軸方向にずれることをより効果的に抑制することができる。
【００２４】
（１０）上記（１）から（９）のいずれか一項に記載の時計部品では、前記つめ石は、前記アンクル体の回動に伴ってがんぎ車に噛み合う噛み合い部を備え、前記支持部は、前記噛み合い部とは異なる位置に配置されていてもよい。
【００２５】
この構成によれば、支持部が、がんぎ車との噛み合い部と重ならないため、つめ石およびがんぎ車の噛み合いに影響を及ぼすことを抑制することができる。
【００２６】
（１１）本発明の態様に係るムーブメントは、上記（１）から（１０）のいずれか一項に記載の時計部品を備えることを特徴とする。
【００２７】
この構成によれば、つめ石およびがんぎ車の摩耗および噛み合い外れを抑制することができるムーブメントを提供することができる。
【００２８】
（１２）本発明の態様に係る時計は、上記（１１）に記載のムーブメントを備えることを特徴とする。
【００２９】
この構成によれば、つめ石およびがんぎ車の摩耗および噛み合い外れを抑制することができる時計を提供することができる。
【発明の効果】
【００３０】
本発明によれば、つめ石およびがんぎ車の摩耗および噛み合い外れを抑制することができる時計部品、ムーブメントおよび時計を提供することができる。
【図面の簡単な説明】
【００３１】
【図１】実施形態の時計の模式図である。
【図２】実施形態のムーブメントの平面図である。
【図３】図２のＩＩＩ−ＩＩＩ断面図である。
【図４】実施形態の調速脱進機の平面図である。
【図５】実施形態の時計部品の要部平面図である。
【図６】図５のＶＩ−ＶＩ断面図である。
【図７】実施形態の第１変形例の時計部品の要部断面図である。
【図８】実施形態の第２変形例の時計部品の要部断面図である。
【図９】実施形態の第３変形例の時計部品の要部断面図である。
【図１０】実施形態の第４変形例の時計部品の要部断面図である。
【図１１】実施形態の第５変形例の時計部品の要部断面図である。
【図１２】実施形態の第６変形例の時計部品の要部平面図である。
【発明を実施するための形態】
【００３２】
以下、本発明に係る実施形態について図面を参照して説明する。以下の実施形態では、時計部品を有するムーブメントを備えた時計を例に挙げて説明する。なお、以下の説明に用いる図面では、各部材を認識可能な大きさとするため、各部材の縮尺を適宜変更している。
【００３３】
［時計］
図１は、実施形態の時計の模式図である。
図１に示すように、時計１は、ムーブメント２、文字板３、各種指針４〜６等が組み込まれる時計ケース７を備える。時計ケース７は、胴１１と、裏蓋（不図示）と、ガラス１２と、を備える。時計１は、胴１１の外側からムーブメント２を操作するためのりゅうず１５を備える。りゅうず１５は、胴１１の側面のうち、３時位置（図１の右側）に設けられている。りゅうず１５は、胴１１内に挿通された巻真１９に固定されている。
【００３４】
［ムーブメント］
図２は、実施形態のムーブメントの平面図である。
図２に示すように、ムーブメント２は、複数の歯車体等が回転可能に支持された地板２１を備える。以下の説明では、地板２１に対して時計ケース７のガラス１２側（文字板３側）をムーブメント２の「裏側」とし、裏蓋側（文字板３側とは反対側）をムーブメント２の「表側」とする。
【００３５】
地板２１には、日付や時刻の修正に用いられる巻真１９が組み込まれている。巻真１９は、その軸線周りに回転可能、かつ軸線方向に移動可能とされている。巻真１９は、おしどり２３、かんぬき２４、かんぬきばね２５および裏押さえ２６を含む切換装置によって、軸線方向の位置が決められている。
巻真１９を回転させると、つづみ車（不図示）の回転を介してきち車３１が回転する。
きち車３１の回転により丸穴車３２および角穴車３３が順に回転し、香箱車３４に収容されたぜんまい（不図示）が巻き上げられる。
【００３６】
香箱車３４は、地板２１と香箱受３５との間で回転可能に支持されている。二番車４１、三番車４２、四番車４３は、地板２１と輪列受２２（図３参照）との間で回転可能に支持されている。
ぜんまい（不図示）の復元力により香箱車３４が回転すると、香箱車３４の回転により二番車４１、三番車４２および四番車４３が順に回転する。香箱車３４、二番車４１、三番車４２および四番車４３は、表輪列を構成する。
【００３７】
上述した表輪列のうち、二番車４１には、分針５（図１参照）が取り付けられている。
二番車４１の回転に伴って回転する筒車（不図示）には、時針４（図１参照）が取り付けられている。秒針６（図１参照）は、四番車４３の回転に基づいて回転するように構成されている。
【００３８】
図３は、図２のＩＩＩ−ＩＩＩ断面図である。
図３に示すように、ムーブメント２には、調速脱進機５１が搭載されている。調速脱進機５１は、てんぷ５２、がんぎ車５３およびアンクル５４（時計部品）を備える。
【００３９】
てんぷ５２は、がんぎ車５３を調速する。言い換えると、てんぷ５２は、がんぎ車５３を一定速度で脱進させる。てんぷ５２は、てん真６１、てん輪６２およびひげぜんまい６３を備える。
てん真６１は、地板２１とてんぷ受６５との間で第１軸線Ｏ１回りに回動可能に支持されている。てん真６１は、ひげぜんまい６３から伝えられた動力によって第１軸線Ｏ１回りに一定の振動周期で往復回動する。
【００４０】
てん真６１の裏側端部には、振り座６７が外嵌されている。振り座６７は、第１軸線Ｏ１と同軸上に配置された筒状に形成されている。振り座６７は、大つば６７ａと、大つば６７ａよりも小径の小つば６７ｂと、を備える。大つば６７ａは、振り座６７の軸方向一端部から径方向外方に拡径する。小つば６７ｂは、振り座６７の軸方向他端部から径方向外方に拡径する。
【００４１】
振り座６７の大つば６７ａには、振り石６８が設けられている。振り石６８は、大つば６７ａの第１軸線Ｏ１周りの周方向の一部に設けられている。例えば、振り石６８は、ムーブメント２の表裏方向に延びる半円柱形状に形成されている（図４参照）。振り石６８は、大つば６７ａから裏側に突出している。
一方、振り座６７の小つば６７ｂには、ツキガタ６６が形成されている。ツキガタ６６は、小つば６７ｂの第１軸線Ｏ１周りの周方向で振り石６８に対応する位置に設けられている。ツキガタ６６は、小つば６７ｂの一部が第１軸線Ｏ１における径方向の内側に窪んで形成されている。
【００４２】
てん輪６２は、リング状に形成されている。例えば、てん輪６２は、てん真６１における振り座６７よりも表側に位置する部分に、圧入等によって固定されている。
【００４３】
ひげぜんまい６３は、ムーブメント２の表裏方向から見た平面視で渦巻状の平ひげである。ひげぜんまい６３は、てん輪６２よりも表側に配置されている。ひげぜんまい６３の内端部は、ひげ玉６９を介して、てん真６１に連結されている。ひげ玉６９は、てん真６１に外挿されて固定されている。ひげぜんまい６３の外端部は、ひげ持７０を介しててんぷ受６５に接続されている。ひげぜんまい６３は、四番車４３からがんぎ車５３に伝えられた動力を蓄え、てん真６１に伝える機能を有する。
【００４４】
図４は、実施形態の調速脱進機の平面図である。
図４に示すように、がんぎ車５３は、がんぎ真７１と、がんぎかな７２と、がんぎ歯車７３と、を備える。
【００４５】
図３に示すように、がんぎ真７１は、地板２１と輪列受２２との間で第２軸線Ｏ２回りに回転可能に支持されている。
がんぎかな７２は、がんぎ真７１に形成されている。がんぎかな７２は、四番車４３に噛合している。がんぎ車５３は、四番車４３の回転に伴い第２軸線Ｏ２回りに回転する。
【００４６】
がんぎ歯車７３は、がんぎ真７１におけるがんぎかな７２に対して裏側に位置する部分に外挿されて固定されている。がんぎ歯車７３には、第２軸線Ｏ２の径方向に突出する歯部７３ａが設けられている。歯部７３ａは、第２軸線Ｏ２周りの周方向に間隔をあけて複数形成されている（図４参照）。
【００４７】
アンクル５４は、てんぷ５２とがんぎ車５３との間を接続している。アンクル５４は、アンクル真８１と、アンクル体８２と、一対のつめ石８３と、剣先８５と、を備える。
アンクル真８１は、地板２１とアンクル受７５との間で第３軸線Ｏ３回りに回動可能に支持されている。
【００４８】
図４に示すように、アンクル体８２は、第３軸線Ｏ３の径方向のうち、アンクルビーム９１およびアンクルサオ９３により、ムーブメント２の表裏方向から見た平面視でＴ字状に形成されている。アンクルビーム９１は、第３軸線Ｏ３の径方向に沿って延在している。アンクルビーム９１における延在方向の両端部には、つめ石８３がそれぞれ取り付けられている。各つめ石８３は、アンクル５４の往復回動に伴いがんぎ車５３の歯部７３ａに交互に噛み合う。
【００４９】
アンクルサオ９３は、アンクルビーム９１の延在方向における中央部から、第３軸線Ｏ３の径方向のうちアンクルビーム９１に対して交差する方向に片持ちで延在している。アンクルサオ９３の先端部には、てんぷ５２の振り座６７（図３参照）と噛み合い可能および振り座６７から離脱可能なアンクルハコ９５が形成されている。アンクル体８２において、アンクルビーム９１とアンクルサオ９３との接続部分は、アンクル真８１に外挿されて固定されている。
【００５０】
［時計部品］
図５は、実施形態の時計部品１００の要部平面図である。図６は、図５のＶＩ−ＶＩ断面図である。
図５に示すように、時計部品１００は、第３軸線Ｏ３（以下単に「軸線」ともいう。図４参照）の回りに回動可能に支持されたアンクル体８２と、アンクル体８２に取り付けられ、アンクル体８２の回動に伴ってがんぎ車５３（図４参照）に噛み合うつめ石８３と、つめ石８３を支持する支持部１１０と、を備える。図中において、矢印は軸線と平行な軸方向Ｖ１、矢印Ｖ１１は軸方向Ｖ１の一方側（ムーブメント２の表側）、矢印Ｖ１２は軸方向Ｖ１の他方側（ムーブメント２の裏側）をそれぞれ示す。
【００５１】
アンクル体８２は、軸線と直交する径方向（以下単に「径方向」ともいう。）に延在するアンクルビーム９１と、アンクルビーム９１の先端部に設けられた凹部１２０と、を備える。凹部１２０は、径方向からつめ石８３を弾性的に挟んでいる。凹部１２０は、径方向の一方からつめ石８３を支持する第１内側面１２１と、径方向の他方からつめ石８３を支持する第２内側面１２２と、第１内側面１２１および第２内側面１２２に隣接する第３内側面１２３と、を有する。
【００５２】
図６に示すように、アンクル体８２は、軸方向Ｖ１においてアンクル体８２の一方に位置する第１面１０１と、軸方向Ｖ１においてアンクル体８２の他方に位置する第２面１０２と、を有する。支持部１１０は、アンクル体８２の第１面１０１の側にのみ設けられている。支持部１１０は、つめ石８３を軸方向Ｖ１の一方側Ｖ１１で支持可能である。支持部１１０は、アンクル体８２から凹部１２０の内方に向かって突出する鍔部１１１，１１２を備える。凹部１２０は、アンクル体８２の第２面１０２において全体的に開口している。
【００５３】
アンクル体８２の第１面１０１は、軸線と実質的に直交する平坦な面である。つめ石８３は、第１面１０１と実質的に平行な平面１３１を有する。鍔部１１１，１１２は、つめ石８３の平面１３１を支持可能な平面支持面１１０ａを有する。これにより、つめ石８３を軸線と直交する平面内で安定して支持することができる。
【００５４】
図５に示すように、鍔部１１１，１１２は、凹部１２０の第１内側面１２１の側と第２内側面１２２の側とに分離している。鍔部１１１，１１２は、凹部１２０の第１内側面１２１および第３内側面１２３に跨って連続する第１鍔部１１１と、凹部１２０の第２内側面１２２および第３内側面１２３に跨って連続し、第３内側面１２３において第１鍔部１１１と離反する第２鍔部１１２と、を備える。第１鍔部１１１および第２鍔部１１２は、第３内側面１２３の中央位置で互いに離れている。第１鍔部１１１および第２鍔部１１２は、アンクル体８２と同一の部材で一体に形成されている。
【００５５】
第１鍔部１１１は、凹部１２０の第１内側面１２１において実質的に一定の突出長さＬ１を有する。第１鍔部１１１は、凹部１２０の第３内側面１２３において、第１内側面１２１側から第３内側面１２３の中央位置に近づくに従って漸次短くなっている。
第２鍔部１１２は、凹部１２０の第２内側面１２２において実質的に一定の突出長さＬ２を有する。第２鍔部１１２は、凹部１２０の第３内側面１２３において、第２内側面１２２側から第３内側面１２３の中央位置に近づくに従って漸次短くなっている。
【００５６】
つめ石８３は、アンクル体８２の回動に伴ってがんぎ車５３に噛み合う噛み合い部１３５を備える。噛み合い部１３５は、つめ石８３のうち凹部１２０から突出する部分の一部に形成されている。支持部１１０は、噛み合い部１３５とは異なる位置に配置されている。具体的に、支持部１１０は、平面視で凹部１２０と重なる位置にのみ配置されている。
【００５７】
つめ石８３は、凹部１２０によって径方向の位置決めがなされるとともに、支持部１１０によって軸方向Ｖ１の位置決めがなされている。つめ石８３は、径方向および軸方向Ｖ１の位置決めがなされた状態で、不図示の接着剤等により凹部１２０に固定されている。例えば、接着剤は、アンクル体８２の第１面１０１および第２面１０２の少なくとも一方側から凹部１２０に付与される。
【００５８】
以上説明したように、本実施形態に係る時計部品１００は、軸線の回りに回動可能に支持されたアンクル体８２と、アンクル体８２に取り付けられ、アンクル体８２の回動に伴ってがんぎ車５３に噛み合うつめ石８３と、を備え、アンクル体８２は、軸線と直交する径方向からつめ石８３を弾性的に挟む凹部１２０を有し、アンクル体８２に設けられ、つめ石８３を軸線と平行な軸方向Ｖ１で支持可能な支持部１１０を備える。
【００５９】
本実施形態によれば、支持部１１０によってつめ石８３を軸方向Ｖ１で支持することができるため、つめ石８３が軸方向Ｖ１にずれることを抑制することができる。そのため、つめ石８３とがんぎ車５３との噛み合い部分を一定に維持することができる。すなわち、つめ石８３とがんぎ車５３とが片あたりすることを抑制することができる。したがって、つめ石８３およびがんぎ車５３の摩耗および噛み合い外れを抑制することができる。
【００６０】
本実施形態では、アンクル体８２は、軸方向Ｖ１においてアンクル体８２の一方に位置する第１面１０１と、軸方向Ｖ１においてアンクル体８２の他方に位置する第２面１０２と、を有し、支持部１１０は、アンクル体８２の第１面１０１の側に設けられ、アンクル体８２から凹部１２０の内方に向かって突出する鍔部１１１，１１２を備える。
【００６１】
この構成によれば、アンクル体８２に設けられた鍔部１１１，１１２によって、つめ石８３を軸方向Ｖ１で支持することができるため、つめ石８３が軸方向Ｖ１にずれることを抑制することができる。加えて、既存のつめ石８３を流用することができるため、アンクル体８２およびつめ石８３の両方に鍔部を設ける場合と比較して、工数を削減し、低コスト化を図ることができる。
【００６２】
本実施形態では、凹部１２０は、径方向の一方からつめ石８３を支持する第１内側面１２１と、径方向の他方からつめ石８３を支持する第２内側面１２２と、を有し、鍔部１１１，１１２は、凹部１２０の第１内側面１２１の側と第２内側面１２２の側とに分離していてもよい。
【００６３】
この構成によれば、鍔部が凹部１２０の第１内側面１２１と第２内側面１２２とに跨って連なる場合と比較して、凹部１２０の弾性的な挟持力が鍔部によって阻害されることを抑制することができる。したがって、凹部１２０によってつめ石８３を径方向でより強固に支持することができる。
【００６４】
本実施形態では、凹部１２０は、第１内側面１２１および第２内側面１２２に隣接する第３内側面１２３を更に有し、鍔部１１１，１１２は、凹部１２０の第１内側面１２１および第３内側面１２３に跨って連続する第１鍔部１１１と、凹部１２０の第２内側面１２２および第３内側面１２３に跨って連続し、第３内側面１２３において第１鍔部１１１と離反する第２鍔部１１２と、を備える。
【００６５】
この構成によれば、第１鍔部１１１が第１内側面１２１のみに設けられ、かつ、第２鍔部１１２が第２内側面１２２のみに設けられた場合と比較して、つめ石８３をより広い面積で支持することができる。したがって、第１鍔部１１１および第２鍔部１１２によって、つめ石８３を軸方向Ｖ１でより強固に支持することができるため、つめ石８３が軸方向Ｖ１にずれることをより効果的に抑制することができる。
【００６６】
本実施形態では、鍔部１１１，１１２は、アンクル体８２の第１面１０１の側にのみ設けられ、凹部１２０は、アンクル体８２の第２面１０２において開口している。
【００６７】
この構成によれば、アンクル体８２の第１面１０１側に設けられた鍔部１１１，１１２によって、つめ石８３を軸方向Ｖ１で支持することができる。そのため、鍔部がアンクル体８２の第１面１０１側および第２面１０２側の両側に設けられた場合と比較して、構造の簡素化を図ることができる。加えて、アンクル体８２の第２面１０２側からつめ石８３を凹部１２０に挿入することができる。
【００６８】
本実施形態では、つめ石８３は、アンクル体８２の回動に伴ってがんぎ車５３に噛み合う噛み合い部１３５を備え、支持部１１０は、噛み合い部１３５とは異なる位置に配置されている。
【００６９】
この構成によれば、支持部１１０が、がんぎ車５３との噛み合い部１３５と重ならないため、つめ石８３およびがんぎ車５３の噛み合いに影響を及ぼすことを抑制することができる。
【００７０】
本実施形態に係るムーブメント２は、上記の時計部品１００を備える。
【００７１】
この構成によれば、つめ石８３およびがんぎ車５３の摩耗および噛み合い外れを抑制することができるムーブメント２を提供することができる。
【００７２】
本実施形態に係る時計１は、上記のムーブメント２を備える。
【００７３】
この構成によれば、つめ石８３およびがんぎ車５３の摩耗および噛み合い外れを抑制することができる時計１を提供することができる。
【００７４】
なお、本発明の技術範囲は上述した実施形態に限定されるものではなく、本発明の趣旨を逸脱しない範囲において種々の変更を加えることが可能である。
【００７５】
例えば、上述した実施形態では、時計の一例として、香箱車を備える機械式時計を例に挙げて説明したが、これに限らない。例えば、アナログクォーツ式の時計に本発明を適用してもよい。
【００７６】
上述した実施形態では、第１鍔部１１１および第２鍔部１１２がアンクル体８２と同一の部材で一体に形成されている例を挙げて説明したが、これに限らない。例えば、第１鍔部１１１および第２鍔部１１２は、アンクル体８２と異なる部材で一体に形成されていてもよい。
【００７７】
以下の変形例において、上記実施形態と同一の構成には同一の符号を付し、その詳細な説明は省略する。
【００７８】
［第１変形例］
図７は、実施形態の第１変形例の時計部品２００の要部断面図である。図７は、図６に相当する断面図である。
上述した実施形態では、鍔部１１１，１１２がアンクル体８２の第１面１０１の側にのみ設けられている例を挙げて説明したが、これに限らない。例えば、図７に示すように、鍔部２１１〜２１４は、アンクル体８２の第１面１０１および第２面１０２の両側に設けられていてもよい。図７の例では、軸方向Ｖ１においてアンクル体８２の長さ（厚み）は、つめ石８３よりも大きい。
【００７９】
図中において、符号２１１は凹部１２０の第１内側面１２１においてアンクル体８２の第１面１０１側に設けられた第１鍔部、符号２１２は凹部１２０の第２内側面１２２においてアンクル体８２の第１面１０１側に設けられた第２鍔部、符号２１３は凹部１２０の第１内側面１２１においてアンクル体８２の第２面１０２側に設けられた第３鍔部、符号２１４は凹部１２０の第２内側面１２２においてアンクル体８２の第２面１０２側に設けられた第４鍔部をそれぞれ示す。
【００８０】
この構成によれば、アンクル体８２の第１面１０１側および第２面１０２側の両側に設けられた鍔部２１１〜２１４によって、つめ石８３を軸方向Ｖ１で支持することができる。したがって、鍔部がアンクル体８２の第１面１０１側および第２面１０２側のいずれか一方に設けられた場合と比較して、つめ石８３を軸方向Ｖ１でより強固に支持することができるため、つめ石８３が軸方向Ｖ１にずれることをより効果的に抑制することができる。
【００８１】
［第２変形例］
図８は、実施形態の第２変形例の時計部品３００の要部断面図である。図８は、図６に相当する断面図である。
上述した実施形態では、つめ石８３がアンクル体８２の第１面１０１と平行な平面１３１を有し、かつ、鍔部１１１，１１２がつめ石８３の平面１３１を支持可能な平面支持面１１０ａを有する例を挙げて説明したが、これに限らない。例えば、図８に示すように、つめ石８３は、アンクル体８２の第１面１０１に対して斜めに交差する傾斜面３３３を有し、鍔部３１１，３１２は、つめ石８３の傾斜面３３３を支持可能な傾斜支持面３１０ａを有していてもよい。
【００８２】
この構成によれば、つめ石８３が第１面１０１と平行な平面１３１を有し、かつ、鍔部１１１がつめ石８３の平面１３１を支持可能な平面支持面１１０ａを有する場合（図６参照）と比較して、つめ石８３をより広い面積で支持することができる。したがって、傾斜支持面３１０ａによって、つめ石８３を軸方向Ｖ１でより強固に支持することができるため、つめ石８３が軸方向Ｖ１にずれることをより効果的に抑制することができる。加えて、傾斜支持面３１０ａによって、つめ石８３を径方向で支持することができるため、凹部１２０と共につめ石８３を径方向でより強固に支持することができる。
【００８３】
［第３変形例］
図９は、実施形態の第３変形例の時計部品４００の要部断面図である。図９は、図６に相当する断面図である。
上述した実施形態では、支持部１１０がアンクル体８２に設けられた例を挙げて説明したが、これに限らない。例えば、図９に示すように、支持部４１０は、つめ石８３に設けられていてもよい。
【００８４】
つめ石８３は、軸方向Ｖ１においてつめ石８３の一方に位置する第１石面４３１と、軸方向Ｖ１においてつめ石８３の他方に位置する第２石面４３２と、を有する。支持部４１０は、つめ石８３の第１石面４３１の側に設けられ、つめ石８３から凹部１２０の外方に向かって突出する石鍔部４４１，４４２を備える。
【００８５】
この構成によれば、つめ石８３に設けられた石鍔部４４１，４４２によって、つめ石８３を軸方向Ｖ１で支持することができるため、つめ石８３が軸方向Ｖ１にずれることを抑制することができる。加えて、既存のアンクル体８２を流用することができるため、アンクル体８２およびつめ石８３の両方に鍔部を設ける場合と比較して、工数を削減し、低コスト化を図ることができる。
【００８６】
なお、第３変形例では、石鍔部４４１，４４２は、つめ石８３の第１石面４３１の側にのみ設けられた例を挙げて説明したが、これに限らない。例えば、石鍔部は、つめ石８３の第１石面４３１および第２石面４３２の両側に設けられていてもよい。すなわち、石鍔部４４１は、つめ石８３の第１石面４３１および第２石面４３２の少なくとも一方側に設けられていてもよい。
【００８７】
［第４変形例］
図１０は、実施形態の第４変形例の時計部品５００の要部断面図である。図１０は、図６に相当する断面図である。
上述した実施形態では、支持部１１０がアンクル体８２にのみ設けられた例を挙げて説明したが、これに限らない。例えば、図１０に示すように、支持部５１０は、アンクル体８２およびつめ石８３の両方に設けられていてもよい。図中において、符号５１３，５１４はアンクル体８２の第２面１０２側に設けられた鍔部、符号５４１，５４２はつめ石８３の第１石面５３１側に設けられた石鍔部をそれぞれ示す。
【００８８】
この構成によれば、アンクル体８２およびつめ石８３の両方に設けられた各鍔部５１３，５１４，５４１，５４２によって、つめ石８３を軸方向Ｖ１でより強固に支持することができるため、つめ石８３が軸方向Ｖ１にずれることをより効果的に抑制することができる。
【００８９】
［第５変形例］
図１１は、実施形態の第５変形例の時計部品６００の要部断面図である。図１１は、図６に相当する断面図である。
上述した実施形態では、鍔部１１１，１１２が凹部１２０の第１内側面１２１の側と第２内側面１２２の側とに分離している例を挙げて説明したが、これに限らない。例えば、図１１に示すように、鍔部６１１は、凹部１２０の第１内側面１２１と第２内側面１２２とに跨って連なっていてもよい。図１１の例では、鍔部６１１は、アンクル体８２の第１面１０１側に設けられている。図１１の例では、凹部１２０は、アンクル体８２の第１面１０１側において開口していない。
【００９０】
［第６変形例］
図１２は、実施形態の第６変形例の時計部品７００の平面図である。図１２は、図５に相当する平面図である。
上述した実施形態では、鍔部１１１，１１２は、凹部１２０の第１内側面１２１および第３内側面１２３に跨って連続する第１鍔部１１１と、凹部１２０の第２内側面１２２および第３内側面１２３に跨って連続し、第３内側面１２３において第１鍔部１１１と離反する第２鍔部１１２と、を備える例を挙げて説明したが、これに限らない。例えば、図１２に示すように、支持部７１０は、軸方向Ｖ１から見て鍔部を有しない非つば部７１５を有し、鍔部７１１〜７１３は、凹部１２０の第１内側面１２１に非つば部７１５を介して設けられた複数の第１凸部７１１と、凹部１２０の第２内側面１２２に非つば部７１５を介して設けられた複数の第２凸部７１２と、凹部１２０の第３内側面１２３において第１凸部７１１および第２凸部７１２のそれぞれと非つば部７１５を介して設けられた第３凸部７１３と、を備えていてもよい。
【００９１】
この構成によれば、第１凸部７１１が第１内側面１２１に１つのみ設けられ、かつ、第２凸部７１２が第２内側面１２２に１つのみ設けられた場合と比較して、つめ石８３をより多くの部分で支持することができる。したがって、複数の凸部７１１〜７１３（複数の第１凸部７１１、複数の第２凸部７１２、および第３凸部７１３）によって、つめ石８３を軸方向Ｖ１でより強固に支持することができるため、つめ石８３が軸方向Ｖ１にずれることをより効果的に抑制することができる。加えて、非つば部７１５に接着剤等を充填することができるため、凹部１２０につめ石８３をより強固に固定することができる。
【００９２】
なお、第６変形例では、３つの第１凸部７１１、３つの第２凸部７１２、および１つの第３凸部７１３を有する例を挙げて説明したが、これに限らない。各凸部の配置数は要求仕様に応じて変更することができる。
【００９３】
その他、本発明の趣旨を逸脱しない範囲で、上記した実施形態における構成要素を周知の構成要素に置き換えることは可能である。また、上述した各変形例を組み合わせても構わない。
【符号の説明】
【００９４】
１…時計
２…ムーブメント
５３…がんぎ車
５４…アンクル
８２…アンクル体
８３…つめ石
１００，２００，３００，４００，５００，６００，７００…時計部品
１０１…第１面
１０２…第２面
１１０，４１０，５１０，７１０…支持部
１１１，２１１…第１鍔部
１１２，２１２…第２鍔部
１２０…凹部
１２１…第１内側面
１２２…第２内側面
１２３…第３内側面
１３５…噛み合い部
２１３…第３鍔部（鍔部）
２１４…第４鍔部（鍔部）
３１０ａ…傾斜支持面
３１１，３１２…鍔部
３３３…傾斜面
４３１…第１石面
４３２…第２石面
４４１，４４２…石鍔部
５１３，５１４…鍔部
５４１，５４２…石鍔部
６１１…鍔部
７１１…第１凸部（鍔部）
７１２…第２凸部（鍔部）
７１３…第３凸部（鍔部）
７１５…非つば部
Ｏ３…第３軸線（軸線）
Ｖ１…軸方向
【図１】
2020148683.tif 000003
【図２】
2020148683.tif 000004
【図３】
2020148683.tif 000005
【図４】
2020148683.tif 000006
【図５】
2020148683.tif 000007
【図６】
2020148683.tif 000008
【図７】
2020148683.tif 000009
【図８】
2020148683.tif 000010
【図９】
2020148683.tif 000011
【図１０】
2020148683.tif 000012
【図１１】
2020148683.tif 000013
【図１２】
2020148683.tif 000014